(57)【要約】【課題】良好な洗浄力を示し、魅力的な液色と芳香を有し、かつ退色しにくい水性液体液体洗浄剤を提供する。【解決手段】（Ａ）エーテル型非イオン界面活性剤、（Ｂ）キサンテン染料、（Ｃ）エステル系香料、（Ｄ）アルデヒド系香料を含有し、（Ｃ）：（Ｄ）質量比が１：２〜２０：１である水性液体洗浄剤組成物。【選択図】なし【特許請求の範囲】
【請求項１】
成分（Ａ）〜（Ｄ）を含有し、成分（Ｃ）：成分（Ｄ）の質量比が１：２〜２０：１である水性液体洗浄剤組成物。
成分（Ａ）：エーテル型非イオン界面活性剤
成分（Ｂ）：キサンテン染料
成分（Ｃ）：エステル系香料
成分（Ｄ）：アルデヒド系香料
【請求項２】
さらに成分（Ｅ）カチオン界面活性剤を含有する請求項１記載の水性液体洗浄剤組成物。
【請求項３】
成分（Ａ）が、一般式（Ｉ）又は（II）で表される非イオン界面活性剤である請求項１又は２記載の水性液体洗浄剤組成物。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯは、上記と同じ意味であり、ＰＯはオキシプロピレン基であり、ｑ、ｒはそれぞれ平均付加モル数を表し、ｑは８〜５０、ｒは０．５〜２０の数である。〕
【請求項４】
一般式（II）で表されるエーテル型非イオン界面活性剤が、一般式（II−１）又は（II−２）で表される非イオン界面活性剤である請求項３記載の水性液体洗浄剤組成物。
Ｒ2−Ｏ−（ＥＯ）s−（ＰＯ）t−Ｈ      （II−１）
〔式中、Ｒ2、ＥＯ、ＰＯは一般式（II）と同じであり、ｓ、ｔはそれぞれ平均付加モル数を表し、ｓは８〜５０、ｔは０．５〜１２の数である。〕
Ｒ2−Ｏ−（ＥＯ）u−（ＰＯ）v−（ＥＯ）w−Ｈ      （II−２）
〔式中、Ｒ2、ＥＯ、ＰＯは一般式（II）と同じであり、ｕ、ｖ、ｗはそれぞれ平均付加モル数を表し、ｕは５〜３０、ｖは０．５〜１２、ｗは５〜３０の数であり、ｕ＋ｗは５０以下である。〕
【発明の詳細な説明】
【技術分野】
【０００１】
本発明は、エーテル型非イオン界面活性剤を含有する水性液体洗浄組成物に関する。
【背景技術】
【０００２】
エーテル型非イオン界面活性剤は、洗浄力が高く、過度の泡立ちを示さないため、泡立ちをあまり必要としない洗剤、すなわち衣料用洗剤や床、風呂等の硬質表面の洗浄剤として広く用いられている。これら洗浄剤においては、使いやすさの観点から水性液体洗浄剤とすることが多い。
【０００３】
この水性液体洗浄剤の美観向上のため染料を用いて着色させ、さらに嗜好性向上のために香料を用いることも広く行われている。
【０００４】
しかし、染料や香料は液体組成物中では不安定なことが多く、特に両者を併用した場合には、光等により退色が起こることが多い。特許文献１では、このような劣化を避けるため、香料をカプセル化して界面活性剤組成物に配合することが提案されている。
【特許文献１】特開昭６０−１０９５１２号公報
【発明の開示】
【発明が解決しようとする課題】
【０００５】
本発明は、良好な洗浄力を示す水性液体洗浄剤であって、魅力的な液色と芳香を有し、かつ退色しにくい水性液体液体洗浄剤を提供することを目的とする。
【課題を解決するための手段】
【０００６】
本発明は、成分（Ａ）〜（Ｄ）を含有し、成分（Ｃ）：成分（Ｄ）の質量比が１：２〜２０：１である水性液体洗浄剤組成物に関する。
成分（Ａ）：エーテル型非イオン界面活性剤
成分（Ｂ）：キサンテン染料
成分（Ｃ）：エステル系香料
成分（Ｄ）：アルデヒド系香料
【発明の効果】
【０００７】
本発明の水性液体洗浄剤組成物は、良好な洗浄力並びに魅力的な液色及び芳香を有し、かつ退色しにくい。したがって、そのまま、あるいは水で適宜希釈して床、風呂等の硬質表面や衣類の洗浄に用いることができる。
【発明を実施するための最良の形態】
【０００８】
成分（Ａ）のエーテル型非イオン界面活性剤としては、高級アルコール又はアルキルフェノールにエチレンオキシドを単独又はプロピレンオキシドとともに付加したものが挙げられる。成分（Ａ）は、洗浄力、水溶性の面でＨＬＢ（親水性親油性バランス）値が１０〜２０のもの、さらには１２〜１８のものが好ましい。このＨＬＢは、グリフィンの方法によるものである。
【０００９】
成分（Ａ）のエーテル型非イオン界面活性剤としては、下記一般式（Ｉ）及び（II）から選ばれる一種以上の非イオン界面活性剤が挙げられる。
【００１０】
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯは、上記と同じ意味であり、ＰＯはオキシプロピレン基であり、ｑ、ｒはそれぞれ平均付加モル数を表し、ｑは８〜５０、ｒは０．５〜２０の数である。〕
【００１１】
一般式（Ｉ）の非イオン界面活性剤は、Ｒ1が異なる炭素数のものの混合物であってもよいし、直鎖と分岐鎖の混合物であってもよい。
【００１２】
一般式（Ｉ）において、Ｒ1は、水溶性及び洗浄力の観点から、炭素数１１〜１８のアルキル基が好ましく、炭素数１１〜１３のアルキル基がより好ましく、分岐鎖のものが好ましい。
【００１３】
一般式（Ｉ）において、ｐは１５〜２００が好ましく、１５〜５０がより好ましい。一般式（Ｉ）の化合物を洗浄力向上のために配合する場合、ｐが４〜１０のものが好ましい。しかしながら本発明では、十分な濡れ性を得るためにｐが１５以上であり、特にはｐは１８〜５０が好ましい。
【００１４】
また、一般式（II）において、Ｒ2は、水溶性及び洗浄力の観点から、炭素数１１〜１８のアルキル基が好ましく、炭素数１１〜１３のアルキル基がより好ましく、分岐鎖のものが好ましい。
【００１５】
一般式（II）において、ｑは８〜５０が好ましく、８〜２０がより好ましい。またｒは０．３〜２０が好ましく、０．５〜１０がより好ましく、０．５〜５が更に好ましい。
【００１６】
一般式（II）の非イオン界面活性剤は、下記一般式（II−１）及び（II−２）から選ばれる１種以上のものが好ましい。一般式（II−１）、（II−２）において、ＥＯとＰＯはランダム結合でも、ブロック結合でもよい。
【００１７】
Ｒ2−Ｏ−（ＥＯ）s−（ＰＯ）t−Ｈ      （II−１）
〔式中、Ｒ2、ＥＯ、ＰＯは一般式（II）と同じであり、ｓ、ｔはそれぞれ平均付加モル数を表し、ｓは８〜５０、ｔは０．５〜１２の数である。〕
Ｒ2−Ｏ−（ＥＯ）u−（ＰＯ）v−（ＥＯ）w−Ｈ      （II−２）
〔式中、Ｒ2、ＥＯ、ＰＯは一般式（II）と同じであり、ｕ、ｖ、ｗはそれぞれ平均付加モル数を表し、ｕは５〜３０、ｖは０．５〜１２、ｗは５〜３０の数であり、ｕ＋ｗは５０以下である。〕
【００１８】
一般式（II−１）、（II−２）の非イオン界面活性剤は、Ｒ2が異なる炭素数のものの混合物であってもよいし、直鎖と分岐鎖の混合物であってもよい。
【００１９】
一般式（II−１）、（II−２）において、Ｒ2は、水溶性及び洗浄力の観点から、炭素数１１〜１８のアルキル基が好ましく、炭素数１１〜１３のアルキル基がより好ましく、分岐鎖のものが好ましい。
【００２０】
一般式（II−１）において、ｓは８〜５０が好ましく、８〜１５がより好ましい。ｔは０．５〜２０が好ましく、０．５〜５が好ましい。
【００２１】
一般式（II−２）において、ｕは５〜３０が好ましく、５〜１０がより好ましい。ｖは０．５〜１２が好ましく、０．５〜５がより好ましい。ｗは０．５〜３０が好ましく、０．５〜１０がより好ましい。なおｕ＋ｗは５０以下、好ましくは２０以下である。
【００２２】
成分（Ａ）の水性液体洗浄組成物中の含有量は、用途等により適宜決定し得るが、衣料用洗浄剤組成物の場合、１〜５０質量％、さらには５〜３０質量％が好ましい。また、硬質表面用洗浄剤組成物の場合、０．１〜１０質量％、さらには１〜５質量％が好ましい。
【００２３】
成分（Ｂ）のキサンテン染料は、キサンテン環を持つ染料である。化粧品用として使用許可されているタール色素、いわゆる法定色素が好ましい。法定色素であるキサンテン染料には酸性染料、塩基性染料、油溶性染料、があるが、水溶性の面で酸性染料及び塩基性染料が好ましい。酸性染料としては、赤色３号、赤色１０４号、赤色１０５号、赤色１０６号、赤色２３０号、赤色２３１号、赤色２３２号、橙色２０７号、黄色２０２号が挙げられる。塩基性染料としては赤色２１３号、赤色２１４号が挙げられる。これらのうち、色調、安定性の面で赤色１０６号及び赤色２１３号が好ましい。
【００２４】
成分（Ｂ）の水性液体洗浄組成物中の含有量は、１ｐｐｍ〜５０ｐｐｍが望ましい。
【００２５】
成分（Ｃ）のエステル系香料としては、印藤元一著、「合成香料、化学と商品知識」、増補改定版、化学工業日報社、２００５年３月２２日に挙げられている脂肪酸のエステル、芳香族酸のエステル及びチグリン酸、アンゲリカ酸その他のエステルを用いることができる。
【００２６】
具体的には、酢酸エチル、酢酸ブチル、酢酸ヘキシル、酢酸ゲラニル、酢酸リナリル、酢酸トリシクロデセニル、酢酸ベンジル、酢酸スチラリル、酢酸シンナミル、酢酸アニシル、アセチルオイゲノール、プロピオン酸エステル、プロピオン酸イソアミル、プロピオン酸ゲラニル、プロピオン酸リナリル、プロピオン酸ベンジル、プロピオン酸シンナミル、プロピオン酸エチル  ２−シクロヘキシル、酪酸エチル、酪酸ブチル、酪酸イソアミル、酪酸ヘキシル、酪酸リナリル、酪酸ベンジル、イソ酪酸ベンジル、イソ酪酸フェノキシエチル、イソ酪酸トリシクロデセニル、イソ吉草酸エチル、カプロン酸エチル、カプロン酸アリル、エナント酸エチル、エナント酸アリル、カプリン酸エチル、オクチンカルボン酸メチル、アセト酢酸エチル、安息香酸メチル、安息香酸エチル、安息香酸イソブチル、安息香酸イソアミル、安息香酸ベンジル、安息香酸フェニルエチル、フェニル酢酸メチル、フェニル酢酸ベンジル、桂皮酸メチル、桂皮酸エチル、桂皮酸フェニルメチル、サリチル酸メチル、サリチル酸エチル、サリチル酸イソアミル、サリチル酸ヘキシル、サリチル酸ベンジル、サリチル酸フェニルエチル、アニス酸メチル、アンスラニル酸メチル、ジャスモン酸メチル、ジヒドロジャスモン酸メチル、グリコメル、フラクトン、フルーテート、ジベスコンなどである。
【００２７】
本発明では、成分（Ｂ）と成分（Ｃ）の質量比が、成分（Ｃ）：成分（Ｂ）で２：１〜７０００：１（質量比）であることが好ましい。
【００２８】
また、成分（Ｃ）の水性液体洗浄組成物中の含有量は、０．００１〜１質量％、更に０．０１〜０．５質量％が望ましい。
【００２９】
成分（Ｄ）のアルデヒド系香料としては、印藤元一著、「合成香料、化学と商品知識」、増補改定版、化学工業日報社、２００５年３月２２日に挙げられている脂肪族アルデヒド、不飽和脂肪族アルデヒド、脂肪族ジエナール類、テルペン系アルデヒド、脂環式アルデヒド、芳香族アルデヒド及びフルフラールその他のアルデヒドを用いることができる。
【００３０】
具体的には、ベンズアルデヒト、フェニルアセトアルデヒド、フェニルプロピルアルデヒド、シンナミックアルデヒド、α―アミルシンナミックアルデヒド、ヒドラトロピックアルデヒド、アニスアルデヒド、クミンアルデヒド、ヘキシルシンナミックアルデヒド、シクラメンアルデヒド、ｐ−エチル−２、２−ジメチルヒドロシンナムアルデヒド、ｐ−ｔ−ブチル−α−メチルヒドロシンナミックアルデヒド、、ヘリオトロピン、ヘリオナール、バニリン、エチルバニリン、メチルバニリンなどである。
【００３１】
本発明では、色調安定性の観点から、成分（Ｃ）と成分（Ｄ）の質量比が、成分（Ｃ）：成分（Ｄ）で１：２〜２０：１（質量比）であり、１：１〜１０：１であることが好ましい。
【００３２】
また、成分（Ｄ）の水性液体洗浄組成物中の含有量は、０．００１〜１質量％、更に０．０１〜０．５質量％が望ましい。
【００３３】
また、本発明では、成分（Ｃ）と成分（Ｄ）の合計は、水性液体洗浄組成物中０．００２〜２質量％、更に０．０２〜１質量％であることが好ましい。
【００３４】
なお、本発明では、成分（Ｃ）、成分（Ｄ）以外の香料を配合してもよいが、全香料中、成分（Ｃ）及び成分（Ｄ）の合計は１〜１００質量％、更に１０〜５０質量％であることが好ましい。
【００３５】
本発明の水性液体洗浄剤組成物は、さらに成分（Ｅ）としてカチオン界面活性剤を含有することが好ましい。カチオン界面活性剤としては、モノ長鎖アルキル型第４級アンモニウム塩が好ましく、例えば、下記一般式で示されるものを挙げることができる。
【００３６】
【化１】
2009286938.tif 000002
【００３７】
（式中、Ｒ11は炭素数８〜１８のアルキル基、Ｒ12、Ｒ13はそれぞれ炭素数１〜３のアルキル基、Ｒ14は炭素数１〜３のアルキル基又はベンジル基を表し、Ｘ-は塩素、臭素等の陰イオンを表す。）
好ましくは、アルキル基の炭素数が８〜１８の範囲内である、塩化アルキルベンジルジメチルアンモニウム塩である。
【００３８】
本発明の水性液体洗浄剤組成物が（Ｅ）成分を含有する場合、成分（Ｅ）と成分（Ａ）の質量比は、洗浄対象物（硬質表面等）への良好な濡れ性を得るために、（Ｅ）／（Ａ）で、０．７以下であることが好ましく、より好ましくは０．０５〜０．７、更に好ましくは０．１〜０．６である。殺菌作用のために（Ｅ）成分を配合する場合、有効な殺菌性を発揮させるためにはこの質量比で０．０５以上の配合が望まれる。
【００３９】
本発明の水性液体洗浄剤組成物が（Ｅ）成分を含有するときの含有量は、０．０５〜２．５質量％が好ましく、０．２５〜２．０質量％がより好ましく、０．５〜１．５質量％が更に好ましい。但し（Ｅ）／（Ａ）の割合は前記比率を充足する。
【００４０】
また、本発明の水性液体洗浄剤組成物には、増粘剤を更に配合することができる。増粘剤は、組成物の粘性を高めることで、使用者に濃厚なイメージを与え、更に使用時における計量を容易にする。増粘剤は、セルロース系化合物が好ましく、ヒドロキシメチルセルロース、ヒドロキシエチルセルロース、カルボキシメチルセルロース、それらの塩等を挙げることができ、ヒドロキシエチルセルロースが好ましい。ヒドロキシアルキルセルロースは、２５℃、１％濃度の水溶液が約１００〜５０００ｍＰａ・ｓの粘度を有し、アルキル置換度（ＤＳ）が０．８〜１．５の範囲にあるものが好適に用いられる。
【００４１】
本発明の水性液体洗浄剤組成物に増粘剤を含有するときの量は、２．０質量％以下が好ましく、０．１〜１．５質量％がより好ましく、０．１〜０．６質量％が更に好ましい。
【００４２】
本発明の水性液体洗浄剤組成物には、その他の成分として、エチレンジアミン四酢酸塩等のキレート剤、低級アルコール等のハイドロトロープ、アルカノールアミン等のアルカリ剤、陽イオン界面活性剤以外の殺菌剤、成分（Ｂ）以外の色素を配合することができる。
【００４３】
本発明の水性液体洗浄剤組成物は水を含有する。水は、貯蔵安定性に影響を与えないようにイオン交換水を用いることが好ましい。ｐＨ（２５℃）は、素手による使用が考えられる場合は、皮膚に対するｐＨの影響が懸念される理由から、３〜１０が好ましく、より好ましくは６〜９である。
【００４４】
本発明の水性液体洗浄剤組成物は、そのまま、あるいは水で適宜希釈して、床、風呂等の硬質表面や衣類の洗浄に用いることができる。
【００４５】
本発明によれば、成分（Ａ）のエーテル型非イオン界面活性剤と成分（Ｂ）のキサンテン染料と水を含有する水性組成物に、成分（Ｃ）のエステル系香料と成分（Ｄ）のアルデヒド系香料とを、成分（Ｃ）：成分（Ｄ）が１：２〜２０：１の質量比で添加して、当該水性組成物を賦香する方法が提供される。
【００４６】
一方、本発明によれば、成分（Ａ）のエーテル型非イオン界面活性剤と、成分（Ｃ）のエステル系香料と成分（Ｄ）のアルデヒド系香料とを、成分（Ｃ）：成分（Ｄ）が１：２〜２０：１の質量比で含有する水性組成物に、成分（Ｂ）のキサンテン染料を添加して、当該水性組成物を着色する方法が提供される。
【００４７】
一方、本発明によれば、成分（Ｂ）のキサンテン染料を含有する水性組成物に、成分（Ｃ）のエステル系香料と成分（Ｄ）のアルデヒド系香料とを、成分（Ｃ）：成分（Ｄ）が１：２〜２０：１の質量比で添加して、当該水性組成物を賦香する方法、又は当該水性組成物の色相を安定化する方法、すなわち、キサンテン染料により着色された水性組成物の色相安定化方法が提供される。
【実施例】
【００４８】
表１に示す液体洗浄剤組成物を調製し、その３００ｍＬを塩ビ製透明２Ｌボトルに入れ、フェードメーターで１万ｋＪ／ｍ2露光した後、外観色を目視で評価した。露光試験後のサンプルを、白色の紙を背とし、配合直後のサンプル（未露光サンプル）と並べて蛍光灯下で目視比較確認し、以下の基準で判定した。結果を表１に示す。
（目視評価基準）
○；色調の変化がほとんど認められない状態
△；色調の変化はやや認められるが、赤色の範疇である状態
×；色調の変化が著しく認められ、褪色している（無色になっている）状態
【００４９】
【表１】
2009286938.tif 000003
【００５０】
（注）表中の％は質量％である。また、表中の成分は以下のものである。
・非イオン界面活性剤（１）：一般式（Ｉ）でＲ1が炭素数１１〜１３の分岐鎖アルキル基、ｐが５０の非イオン界面活性剤
・非イオン界面活性剤（２）：一般式（II−２）でＲ2が炭素数１２〜１４の直鎖アルキル基、ｕ及びｗが７、ｖが０．５の非イオン界面活性剤
・カチオン界面活性剤：塩化やしアルキルジメチルベンジルアンモニウム
・ヒドロキシエチルセルロース：セルロース型増粘剤（商品名  ＨＥＣ−ＳＥ８５０Ｋ、ダイセル化学工業（株）製）